(57)【特許請求の範囲】
【請求項１】
目下のベースステーションに対し移動ステーションが測定レポートを繰り返し送信し、該測定レポート中にはそれぞれ複数の隣接するベースステーションに関する測定データが含まれている形式の、
移動無線システムにおける移動ステーションと目下のベースステーションとの間でデータパケットを伝送する方法において、
先行の測定レポートを介して目下のベースステーションによりすでに受信され記憶されている測定データの対象である少なくとも１つの隣接ベースステーションのために、先行する個々の測定レポートの測定データを指し示す参照情報を、後続の測定レポート中に含めることを特徴とする、
移動無線システムにおける移動ステーションと目下のベースステーションとの間でデータパケットを伝送する方法。
【請求項２】
後続の測定レポート内で参照指示される同じ先行の測定レポートが移動ステーションと目下のベースステーションの両方にそれぞれ格納されるよう、先行の測定レポートを両ステーションにおいて記憶する、請求項１記載のデータパケットを伝送する方法。
【請求項３】
移動ステーションが測定レポートを送信した後、目下のベースステーションから該移動ステーションへ、測定レポートを受信したか否かを示す第１の受取確認情報を送信する、請求項１または２記載のデータパケットを伝送する方法。
【請求項４】
測定レポートごとに移動ステーションから、先行する第１の受取確認情報を該移動ステーションが受信したか否かを示す第２の受取確認情報を、目下のベースステーションへ送信する、請求項１、２または３記載のデータパケットを伝送する方法。
【請求項５】
移動ステーション（２）内に送信装置（８）が設けられており、該送信装置は目下のベースステーション（１）の受信装置（３）へ測定レポートを繰り返し送信し、該測定レポート中にはそれぞれ複数の隣接するベースステーションに関する測定データが含まれている形式の、
移動無線システムにおける移動ステーション（２）と目下のベースステーション（１）との間でデータパケットを伝送するシステムにおいて、
先行する測定レポート中を介して目下のベースステーション（１）の受信装置（３）によりすでに受信され、該目下のベースステーション（１）の記憶装置（５）に記憶されている測定データの対象である少なくとも１つのベースステーションのために、先行する個々の測定レポートの測定データを指し示す参照情報が、後続の測定レポート中に含まれていることを特徴とする、
移動ステーションと目下のベースステーションとの間でデータパケットを伝送するシステム。
【請求項６】
前記移動ステーション（２）は記憶装置（１０）を有しており、移動ステーションと目下のベースステーション（１）の記憶装置（５または１０）は、先行する測定レポートを格納するために用いられ、これら両方の記憶装置（５，１０）内に、後続の測定レポート中で参照指示される同じ先行の測定レポートが格納されている、請求項５記載のデータパケットを伝送するためのシステム。
【請求項７】
移動ステーション（２）が測定レポートを送信した後、目下のベースステーション（１）の送信装置（４）が該移動ステーション（２）の受信装置（９）へ、目下のベースステーション（１）の受信装置（９）が測定レポートを受信したか否かを表す第１の受取確認情報を送信する、請求項５または６記載のデータパケットを伝送するシステム。
【請求項８】
測定レポートごとに移動ステーション（２）の送信装置（８）は、該移動ステーション（２）の受信装置（９）が先行する第１の受取確認情報を受信したか否かを示す第２の受取確認情報を、目下のベースステーション（１）の受信装置（３）へ送信する、請求項５、６または７記載のデータパケットを伝祖するシステム。
【発明の詳細な説明】
【０００１】
本発明は、請求項１の上位概念または請求項５の上位概念に記載の移動無線システムにおける移動ステーションと目下のベースステーションとの間でデータパケットを伝送する方法ならびにシステムに関する。
【０００２】
いわゆる Mobile Assisted Handover アルゴリズムをもつ移動無線ネットワークの場合、すなわち移動ステーション側で支援される１つの移動無線セルから次の移動無線セルへの移動ステーションの引き渡しを扱うアルゴリズムをもつ移動無線ネットワークの場合、移動ステーションは、隣接チャネルまたは隣り合うベースステーションの信号の測定に関する情報を、目下のベースステーションへ規則的に送らなければならない。それらの情報はいわゆる測定レポートにおいて伝達される。ＧＳＭシステムの場合にはこの種の測定レポートは、それぞれ１３×８＋１＝６×（１１＋６）＋３＝１０５ｂｉｔによって符号化される。このようにして、６個に及ぶ隣り合うベースステーションに関する測定データを伝送することができる。周波数伝送および識別子伝送（BSIC, Base Station Identity Code）のために６×１１ｂｉｔが用いられ、本来の測定データのために６×６ｂｉｔが、そして隣り合うベースステーションの個数の符号化のために３ｂｉｔが用いられる。この場合、移動ステーションは、最も強く送信を行っている６つの隣り合うベースステーションに関する測定データだけを伝送する。ＧＳＭシステムではこの種の測定レポートは、１０４個のタイムフレームごとにレイヤ２プロトコル（ＨＤＬＣ）を用いずに、移動ステーションから個々の目下のベースステーションへ伝送される。しかしながら、たとえば完全に拡充されたネットワークの場合、また、いわゆるハイアラーキ構造のネットワークの場合には殊に、最も強く受信される隣接ベースステーションにより最適なネットワーク利用が必ずしも保証されるわけではない。
【０００３】
したがって本発明の課題は、請求項１の上位概念または請求項５の上位概念に記載の移動無線システムの移動ステーションと目下のベースステーションとの間でデータパケットを伝送する方法およびシステムにおいて、移動ステーションが目下のベースステーションに対し、そのつどできるかぎり多数の隣接ベースステーションに関する測定データの含まれる測定レポートを伝送できるようにすることである。
【０００４】
この課題は、移動無線システムにおける移動ステーションと目下のベースステーションとの間でデータパケットを伝送する請求項１記載の方法により解決される。この方法によれば、目下のベースステーションに対し移動ステーションが測定レポートを繰り返し送信し、この測定レポート中にはそれぞれ複数の隣接するベースステーションに関する測定データが含まれている。そしてこの方法は、先行の測定レポートを介して目下のベースステーションによりすでに受信され記憶されている測定データの対象である少なくとも１つの隣接ベースステーションのために、先行する個々の測定レポートの測定データを指し示す参照情報を、後続の測定レポート中に含めることを特徴としている。
【０００５】
さらに上記の課題は、移動無線システムにおける移動ステーションと目下のベースステーションとの間でデータパケットを伝送する請求項５記載のシステムにより解決される。このシステムによれば、目下のベースステーションの受信装置に測定レポートを繰り返し送信する送信装置が移動ステーション内に設けられている。そしてこのシステムは、先行する測定レポート中を介して目下のベースステーションの受信装置によりすでに受信され、この目下のベースステーションの記憶装置に記憶されている測定データの対象である少なくとも１つのベースステーションのために、先行する個々の測定レポートの測定データを指し示す参照情報が、後続の測定レポート中に含まれていることを特徴としている。
【０００６】
このようにして本発明により、たとえば完全に拡充されたネットワークにおいて、ここでは殊に、同じ領域内に大きいセルと小さいセルと非常に小さいセルがオーバラップしているいわゆるハイアラーキネットワークにおいて、測定レポートができりかぎり多くの個数の隣接ベースステーションに関する測定データをそれぞれ含むようにすることができるようになる。それというのもこのような状況では、最も強く受信された隣接ベースステーションにより最適なネットワーク利用が必ずしも保証されるわけではないからである。他方、本発明によれば、できるかぎり僅かなビットを用いて測定レポートを符号化できるようになり、このことで測定レポートのためにできるかぎり僅かな帯域幅しか必要としなくなる。本発明によれば移動ステーションはベースステーションに対し、既知の隣接ベースステーションに関する測定データを再度伝送するのではなく、単に参照データによって参照指示をするだけである。これにより、隣接ベースステーションが２回目に測定レポートに現れるとただちに、測定レポートを効率よく符号化することができる。このようにして節約された伝送容量を、たとえばさらに別の隣接ベースステーションに関する測定データの伝送に利用することができる。
【０００７】
個々の従属請求項には本発明の有利な実施形態が示されている。
【０００８】
この場合、有利には、後続の測定レポート内で参照指示される同じ先行の測定レポートが移動ステーションと目下のベースステーションの両方にそれぞれ格納されるよう、先行の測定レポートが両ステーションに記憶される。
【０００９】
さらに有利には、移動ステーションが測定レポートを送信した後、目下のベースステーションからその移動ステーションへ、測定レポートを受信したか否かを示す第１の受取確認情報が送信される。また、有利には測定レポートごとに移動ステーションから、先行する第１の受取確認情報をその移動ステーションが受信したか否かを示す第２の受取確認情報が、目下のベースステーションへ送信される。
【００１０】
このように本発明によれば、移動ステーションと目下のベースステーションとの間でレイヤ２プロトコルに似た手順が規定され、この手順を用いることで、目下のベースステーションが測定レポートを受信したことを移動ステーションが知るようになる。そしてそれ以降、移動ステーションは測定レポートのフォーマットを変更し、チャネル参照番号や隣接ベースステーションの識別子をもはや繰り返して伝送するのではなく、送信された先行の測定レポート中の位置に関する参照情報だけを伝送するようになる。このようにすれば、各ベースステーションをごく僅かな伝送スペースしか用いずに参照指示することができる。移動ステーションは空いた伝送スペースにおいて、さらに別のベースステーションの測定データを符号化して伝送することができる。
【００１１】
次に、添付の図１から図４を参照しながら有利な実施例に基づき本発明について詳しく説明する。ここで図１には、移動ステーションと目下のベースステーションとの間でデータパケットを伝送するためのシステムの一般的な構成が示されている。図２には、目下のベースステーションによりどの測定レポートが受信されたのかを判定する本発明による手順の実例が示されている。図３は、インターリーブされたサブチャネルにおける本発明による方式を説明する図である。図４は、本発明による測定レポートの符号化の実例を示す表である。
【００１２】
図１には、移動無線システムにおける移動ステーションと目下のベースステーションとの間でデータパケットを伝送するためのシステムの一般的な構成が示されており、この場合、目下のベースステーション１と移動ステーション２が描かれている。ベースステーション１は受信装置３と送信装置４を有しており、これらには共通のアンテナ６が設けられている。送信装置４と受信装置３は記憶装置５と接続されており、その中にそれぞれ先行の時点に移動ステーション２から受信された測定レポートを格納することができる。移動ステーション２はアンテナ７を有しており、これは送信装置８および受信装置９と接続されている。移動ステーション２における送信装置８と受信装置９は共通の記憶装置１０と接続されており、その中にそれぞれ目下のベースステーション１から送られてきた測定レポートを格納することができる。
【００１３】
図２には実例として、どの測定レポートが目下のベースステーション１における受信装置３により受信され記憶装置５に格納されたのかを判定する手順が示されている。ここで説明する手順はたとえば、ＳＤＣＣＨ（Stand-alone Dedicated Control Channel）における測定レポートの伝送に関する。
【００１４】
移動ステーション２が測定レポートを送った後、目下のベースステーション１から移動ステーション２へ、１つの付加的なビットの形式の第１の受取確認情報Ａｃｋが送られる。このビットＡｃｋは、目下のベースステーション１が移動ステーション２から伝送された測定レポートを適正に受信しなかったとき、Ａｃｋ＝０にセットされる。これに対し、目下のベースステーション１が移動ステーション２から伝送された測定レポートを適正に受信したとき、このビットＡｃｋはＡｃｋ＝１にセットされる。
【００１５】
移動ステーション２は目下のベースステーション１へ第２の受取確認情報Ｎ（Ｓ）を伝送し、この第２の受取確認情報によって、移動ステーション２が先行の第１の受取確認情報すなわちビットＡｃｋを適正に受信したか否かが表される。移動ステーション２が目下のベースステーションからビットＡｃｋを適正に受信した場合には、移動ステーション２は目下のベースステーションへビットＮ（Ｓ）のかたちの第２の受取確認情報を伝送する。
【００１６】
伝送開始時、たとえば移動ステーション２のスイッチオン時、移動ステーション２はビットＮ（Ｓ）を０にセットし、その後、記憶装置１０内に、目下のベースステーション１へ伝送された第１の測定レポートの測定データを、種々のＮ（Ｓ）ごとに別個に格納する。その際、ビットＮ（Ｓ）はモジュロ２でインクリメントされ、したがって値０および１をとることができる。各測定レポートにはビットＮ（Ｓ）の値が割り当てられ、その際、目下のベースステーション１または移動ステーション２の記憶装置５または１０には、値Ｎ（Ｓ）＝１をもつ測定レポートのためのファイルと、値Ｎ（Ｓ）＝０をもつ測定レポートのためのファイルが存在することになる。この場合、先行の測定レポートは、等しい値のビットＮ（Ｓ）をもつ後続の測定レポートによって上書きされる。
【００１７】
図２には、目下伝送された測定レポートの番号がＲにより表されている。なお、この番号は伝送されるものではなく、ここで参照のために用いられるだけである。両方の”記憶済み”の欄には、Ｎ（Ｓ）がとり得る２つの値０と１のもとで、個々のステーションが対応するＮ（Ｓ）について記憶した測定データをもつ測定レポートの番号Ｒが記入されている。また、---X|は誤りのある伝送を意味し、-----＞は誤りのない伝送を意味する。
【００１８】
測定レポートが適正に受信されるたびに、目下のベースステーション１は受信した測定レポートの測定データをＮ（Ｓ）＝０またはＮ（Ｓ）＝１ごとに記憶装置５に別個に格納し、次のダウンリンクにおいて目下のベースステーション１は、値１をもつビットＡｃｋを移動ステーション２へ送ることで受信の確認応答を行う。目下のベースステーション１が測定レポートを受け取らなかった場合、目下のベースステーションは値０をもつビットＡｃｋを送信する。移動ステーション２が値１をもつビットＡｃｋを受信すると、その移動ステーションは、先に送信した測定レポートがベースステーション１により受信され、記憶装置５に格納されたことを知る。その後、移動ステーション２はモジュロ２でビットＮ（Ｓ）をインクリメントし、変えられたこのＮ（Ｓ）の値で次の測定レポートを格納する。移動ステーション２も目下のベースステーション１も先行のＮ（Ｓ）について同じ隣接識別情報を記憶しているので、測定レポートをいっそう効率的に符号化する目的でこの情報を参照することができる。
【００１９】
図２に示されている実例の場合、移動ステーション２から目下のベースステーション１へ伝送される１番目の測定レポート（Ｒ＝１）は、誤りのある伝送であるため目下のベースステーション１により受信されず記憶されない。このため目下のベースステーション１は、値０をもつビットＡｃｋのかたちで第１の受取確認情報を移動ステーション２へ送信する。第２の測定レポート（Ｒ＝２）が移動ステーション２から目下のベースステーション１へ送達されると、記憶装置１０内の第１の測定レポート（Ｒ＝１）は上書きされる。なぜならば、Ｎ（Ｓ）は引き続き値０のままだからである。この第２の測定レポートは目下のベースステーション１により適正に受信され、値Ｎ（Ｓ）＝０で記憶装置５内に格納される。その結果として、目下のベースステーション１は移動ステーション２へ値１をもつビットＡｃｋを送信し、これにより第２の測定レポートの受信の確認応答を行う。この場合、目下のベースステーション１から移動ステーション２へビットＡｃｋの伝送時に伝送エラーが発生した。したがって移動ステーション２はビットＮ（Ｓ）をインクリメントせず、記憶装置５内の第２の測定レポートを第３の測定レポートで上書きする。なぜならば、この測定レポートにも値Ｎ（Ｓ）＝０が割り当てられているからである。第３の測定レポート（Ｒ＝３）もビットＮ（Ｓ）＝０といっしょに目下のベースステーションにより適正に受信され、記憶装置１０内の第２の測定レポートの場所に書き込まれる。なぜならば、値Ｎ（Ｓ）＝０だからである。
【００２０】
目下のベースステーション１は再び、値１をもつビットＡｃｋを移動ステーション２へ送信する。移動ステーション２は今度はビットＡｃｋ＝１を適正に受信し、値Ｎ（Ｓ）をモジュロ２でインクリメントし、つまり値Ｎ（Ｓ）は１になる。その結果、第４の測定レポートが値Ｎ（Ｓ）＝１のもとで記憶装置１０に格納される。移動ステーション２も目下のベースステーション１も、第３の測定レポート（Ｒ＝３）の伝送およびそれに続く移動ステーション２への値１をもつ受取確認ビットＡｃｋの適正な伝送について実現されたので、その時点以降、第３の測定レポートを基準測定レポートとして利用できるようになった。このため第４の測定レポートにおいて移動ステーション２は第３の測定レポートを引き合いに出すことができる。それというのも移動ステーションは、第３の測定レポートが目下のベースステーションにおいて適正に受信され記憶されていることを確信できるからである。
【００２１】
さて、ここで第４の測定レポート（Ｒ＝４）を目下のベースステーション１へ伝送する際、伝送エラーが発生した。その結果、目下のベースステーション１は移動ステーション２へ値０をもつビットＡｃｋを伝送する。この場合、ビットＮ（Ｓ）は値１のままである。そして第５の測定レポート（５）が、Ｎ（Ｓ）＝１のもとにある第４の測定レポートの場所で記憶装置１０に書き込まれ、目下のベースステーション１へ伝送される。第５の測定レポートにおいても、本発明に従ってすでに伝送された測定データを再度伝送しないようにする目的で、第３の測定レポートを引き合いに出すことができる。今回は目下のベースステーション１がこの測定レポートを適正に受信し、値Ｎ（Ｓ）＝１において記憶装置５内に格納する。目下のベースステーションは第５の測定レポートを適正に受信し、値Ｎ（Ｓ）＝１のもとで記憶装置５に格納したことから、値１をもつビットＡｃｋが移動ステーション２へ伝送される。これに応じて移動ステーション２においてビットＮ（Ｓ）がモジュロ２でインクリメントされ、つまり０にセットされる。
【００２２】
その後、第６の測定レポート（Ｒ＝６）が、記憶装置１０内でＮ（Ｓ）＝０のもとにある第３の測定レポートの場所に書き込まれ、目下のベースステーション１へ送信される。この時点で移動ステーション２にとって、第５の測定レポートが値Ｎ（Ｓ）＝０のもとで目下のベースステーション１の記憶装置５内に格納されていることが既知であるため、このことから第６の測定レポートにおいてすでに伝送されている第５の測定レポート中の測定データを引き合いに出すことができる。
【００２３】
図２において実例として説明した手順によれば、測定レポートが送信されるたびに両方のパートナーすなわち移動ステーション２と目下のベースステーション１は、先行のＮ（Ｓ）の値について先に送信された同じ測定レポートを記憶していることが保証される。なお、コネクション確立時には例外が存在する。その理由は、目下のベースステーション１も移動ステーション２もそのときはなにも記憶していないからである。この情報は、送られた測定レポートにおいて既知であるものとすることができる。このような上述の手順は、それ自体公知のレイヤ２プロトコルと似ているけれども、この場合にはまずはじめにレイヤ２に渡されるフレームの伝送が保証されるのではなく、どのフレームが直前に用いられたＮ（Ｓ）をもつ最後のものとして適正に伝送されたのかを、両方のパートナーが知っているのである。
【００２４】
次に、実例として図３を参照しながら、いずれの測定レポートが目下ベースステーション１により受信され記憶されたのかを求める手順について、ＴＣＣＨ（Traffic Control Channel）の場合に関して説明する。たとえばＴＣＣＨなど多くのチャネルでは、情報が交互に伝送されるのではなくオーバラップして伝送され、つまり１つのタイムフレームの送信後、それに続いて移動ステーションがそのタイムフレームに対する応答を受信するのではなく、先行のタイムフレームに対する応答を受信する。予期される応答はポイントｋにおいてはじめて到来し、ここでｋ＞１であり、つまり各タイムフレームは伝送路上で交差し、このことはラウンド・トリップ・ディレイ Round Trip Delay とも呼ばれる。これはＧＳＭシステムの場合、ＴＣＣＨにおけるＳＡＣＣＨ（Slow Associated Control Channel）であり、この場合にはｋ＝２である。これにもかかわらず、図２を参照して説明した方式を適用することができるが、その際、ｋ個のチャネルが定義され、それらのチャネルは０〜ｋ−１まで通し番号が付され、互いに独立して動作する。図３にはｋ＝２の事例が示されている。ここでサブチャネルｎ＝０は通常どおり表されており、サブチャネルｎ＝１はボールドで表されている。なお、図３に示されている方式をｋ個のサブチャネルに適用することもできる。
【００２５】
以下、本発明に従って最適化された測定レポートの符号化の構成について、たとえばＳＤＣＣＨの事例に関して説明する。第１の測定レポート（Ｒ＝１）は慣用のように符号化される。目下のベースステーション１がＲ＝１をもつ測定レポートを受信して記憶装置５に格納したことを移動ステーション２が知り、移動ステーション２もその測定レポートのパラメータを記憶装置１０内に格納するとただちに、本発明による符号化が適用される。先行の測定レポートのうちの１つにおいてすでに伝送された隣接ベースステーションに関する隣接ベースステーション測定のためには、そのような隣接ベースステーションを特徴づける測定データ（周波数、ＢＳＩＣ）を繰り返す必要がなく、対応する先行の測定レポートへの参照で十分である。たとえばこの場合、先行の測定レポート内でその隣接ベースステーションの測定データが伝送された位置に関する参照データであれば十分である。この情報は参照情報のフレーム内で、ごく僅かなビットしか用いずに符号化することができる。たとえば測定レポートの始めに、先行する測定レポートのいずれの隣接ベースステーションが繰り返されるのかを表すビットマップを挿入することができ、その直後に反復されるそのベースステーションに関する電界強度測定を続けることができる。その次に慣用のフォーマットで、先行の測定レポートにおいてまだ言及されていない新たな隣接ベースステーションが続く。次の測定レポートにおいて同じ方式が適用される。
【００２６】
つまり測定レポートに関して初回のみ、すべての測定データを伝送すればよく、反復される測定を非常に効率的に符号化することができる。これにより空いた伝送容量を節約することができるし、あるいは他のやり方で利用したり、その他の隣接ベースステーションに関する付加的な測定データを伝送することもできる。
【００２７】
図４には、ＧＳＭシステムの状況における本発明による測定レポートの構造に関する実例が１つの表として示されている。６つの隣接ベースステーションに関する一般に知られた構造は、６×（１１＋６）＋３＝１０５ｂｉｔを有している。本発明によれば、たとえば２番目の測定レポートのための符号化として、以下の符号化を用いることができる。すなわち、６ｂｉｔのビットマップ＋６×６ｂｉｔの電界強度＝４２ｂｉｔが同じ情報の符号化に用いられる。１０５ｂｉｔすべてを利用してしまうためには、さらに付加的に２つのビットで新たな隣接ベースステーションの個数を符号化し、３×１７ｂｉｔで隣り合う３つの新たなベースステーションを符号化することができる。
【００２８】
本発明による符号化方式のための一般的な実例には、１２個の繰り返される隣接ベースステーションに関する１２ｂｉｔのビットマップと、（反復回数に応じて）最大１２×６の電界強度と、新たな隣接ベースステーションの個数を符号化するための３ｂｉｔと、空き容量に応じて少なくとも１×（１１＋６）ｂｉｔのチャネル識別子および電界強度測定が含まれている。総計で、１２＋１２×６＋３＋１×（１１＋６）＝１０５ｂｉｔとなる。
【００２９】
このようにして、本発明の方法によれば７個までの付加的な隣接ベースステーションを同じ個数のビット（１０５）で符号化することができ、その際、Ｎ（Ｓ）のための付加的なビットを考慮する必要がある。２つの反復される隣接ベースステーションまでは実質的な改善がみられないが、それ以降、最大で１３個に及ぶ多くの付加的な隣接ベースステーションを符号化することができる。択一的に、所要ビット数を低減することができる。これが有用であるのは、そのようにすることで別の情報を符号化できるときであり、まるいは伝送帯域幅を節約できるときである。また、たとえば新たな隣接ベースステーションの個数を必ず３ｂｉｔで符号化するのではなく、必要な個数のビットで符号化すれば、符号化をいっそう最適化することができる。さらに、反復される隣接ベースステーションを、直前の測定レポートの隣接ベースステーションの中から選択できるようにするだけでなく、それよりも以前に送信された測定レポートの隣接ベースステーションからも選択できるように構成可能である。その際、最も長い間言及されていなかった隣接ベースステーションをリストから落とすことができる。このことは、個々の隣接ベースステーションが、格納されている測定レポートのリストの終わりに繰り返し入れられたり落とされたりするときに、殊に有利である。
【００３０】
また、たとえばＴＣＣＨなどのように情報がオーバラップして伝送されるチャネルにおいても、本発明による方式を無関係にすべてのサブチャネルに適用することで、本発明による方法を簡単に用いることができる。この場合、次のようにしてさらに改善することができる。すなわち、１つのサブチャネルにおいて改善された測定レポートが送信されたとき、つまり目下送信された測定レポートと類似した測定レポートが送信されたとき、したがって複数の隣接ベースステーションを簡単に参照することができるとき、そして移動ステーション２が、目下のベースステーション１がその測定レポートを受信し記憶したことを知ったとき、その測定レポートも参照できるようになるようにして、さらに改善をはかることができる。しかしこの場合、伝送される測定レポート内でサブチャネルｋを同様に符号化する必要があり、この目的でＧＳＭシステムであれば１ｂｉｔが必要であり、付加的にそこにおいて有効なビットＮ（Ｓ）が必要である。目下のベースステーション１は、移動ステーション２が新しいＮ（Ｓ）を用いて送信したときにはじめて、どの受取確認を移動ステーション２がすでに受信したのかを知るので、そうでなければ目下のベースステーション１はその新たな測定レポートを受信できない。したがってＧＳＭシステムでは、２つのビットを付加的に使う必要がある。
【図面の簡単な説明】
【図１】  移動ステーションと目下のベースステーションとの間でデータパケットを伝送するためのシステムの一般的な構成を示す図である。
【図２】  目下のベースステーションによりどの測定レポートが受信されたのかを判定する本発明による手順の実例を示す図である。
【図３】  インターリーブされたサブチャネルにおける本発明による方式を説明する図である。
【図４】  本発明による測定レポートの符号化の実例を示す表である。
【図１】
0004047539.tif 000002
【図２】
0004047539.tif 000003
【図３】
0004047539.tif 000004
【図４】
0004047539.tif 000005